【事件の表示】
　特願２００２−５０９０９３「ＦＩＭＳシステムで実施されるポッドロードインタフェース装置」拒絶査定不服審判事件〔平成１４年　１月１７日国際公開、ＷＯ０２／０５３２８、平成１６年　３月２５日国内公表、特表２００４−５０９４５４〕について、次のとおり審決する。
【結　論】
　本件審判の請求は、成り立たない。
【理　由】
第１　手続の経緯 
　本願は、平成１３（２００１）年７月１０日（パリ条約による優先権主張平成１２（２０００）年７月１０日、アメリカ合衆国）を国際出願日とする特許出願であって、平成２４年７月３０日付けで拒絶をすべき旨の査定がなされた。 
　これに対し、平成２４年１２月７日に該査定の取消を求めて本件審判の請求がされるとともに同日付けで手続補正書が提出され、特許請求の範囲について補正がなされた。その後、平成２６年１月３１日付けで当審から拒絶の理由が通知され、平成２６年６月４日に意見書とともに手続補正書が提出され、特許請求の範囲についてさらに補正がなされたものである。
　
第２　本願発明 
　本願の請求項１ないし１３に係る発明は、上記平成２６年６月４日提出の手続補正書によって補正された特許請求の範囲の請求項１ないし１３に記載された事項により特定されるとおりのものと認めるところ、その請求項１の記載は以下のとおりである。（以下、請求項１に係る発明を「本願発明」という。） 
「　【請求項１】
　試料走査機構において、
　１個またはそれ以上の試料の試料セットを保管するキャリヤボックスを収容するよう構成した支持体であって、前記キャリヤボックスはドアを設けた前面側を有し、前記ドア開放時に前記試料を前記キャリヤボックス内に移送して保管し、または保管した前記試料を取り出すことができるよう構成した、該支持体と、
　前記キャリヤボックスの前記前面側に配置した展開機構に動作可能に連結した互いに離間する第１光学コンポーネント取付部および第２光学コンポーネント取付部を有し、前記展開機構は、前記第１光学コンポーネント取付部および第２光学コンポーネント取付部を、展開位置と後退位置との間で移動させるものとした走査組立体と、
　第１光エミッタおよび第２光エミッタであって、前記第１光学コンポーネント取付部が前記展開位置に存在する際に前記第１光エミッタおよび前記第２光エミッタが作動するように、前記第１光学コンポーネント取付部にそれぞれ配置される、第１光エミッタおよび第２光エミッタ、ならびに、第１光センサおよび第２光センサであって、前記第２光学コンポーネント取付部が前記展開位置に存在する際に前記第１光センサおよび前記第２光センサが作動するように、前記第２光学コンポーネント取付部にそれぞれ配置される、第１光センサおよび第２光センサであって、前記第１光エミッタと前記第１光センサとの間および前記第２光エミッタと前記第２光センサとの間で、前記第１光学コンポーネント取付部および第２光学コンポーネント取付部を横切る、それぞれに対応する光伝搬路に沿って伝搬する各光ビームを形成し、前記第１光エミッタおよび前記第１光センサによる第１光伝搬経路は、前記第２光エミッタおよび第２光センサによる第２光伝搬経路に対して角度をなすよう配置した、該第１および第２の光エミッタならびに第１および第２の光センサと、
　前記キャリヤボックスに保管した試料セットと前記第１光学コンポーネント取付部および第２光学コンポーネント取付部との間で制御した相対移動を付与し、この相対移動は、前記保管した試料セットが、展開位置における前記第１光学コンポーネント取付部と第２光学コンポーネント取付部との間の空間における位置をとらせるものとする、前記キャリヤボックスの前面に配置したコンポーネント取付部位置決め機構であって、前記展開位置にある前記第１光学コンポーネント取付部および第２光学コンポーネント取付部は、前記キャリヤボックスに保管した前記試料セットを跨ぎ、これにより、走査処理中前記光伝搬路が前記試料セットにおける各試料に交差し、したがって遮断し、前記後退位置にある前記第１光学コンポーネント取付部および第２光学コンポーネント取付部は、試料の走査を行わず前記キャリヤボックスの開放した前面側における試料の保管又は取り出しのアクセスを可能にするクリアランスを生ずるものとした該コンポーネント取付部位置決め機構とを備え、第１および第２の出力信号による試料の傾斜または試料の欠如の表示が、前記試料に対する前記第１及び第２の光センサの、試料の厚さと同等の変位に対して決定されるように、前記第１および第２の光センサはそれぞれ、試料が前記キャリヤボックスの単独の溝孔内で検知された際に、前記コンポーネント取付部位置決め機構の前記キャリヤボックスに保管された前記試料セットに対する移動量に応じた等しい絶対値の、前記第１および第２の出力信号を発生することを特徴とする試料走査機構。」 
　
第３　引用刊行物記載の発明 
　これに対して、当審での平成２６年１月３１日付けの拒絶の理由に引用された、本願の優先日前に頒布された下記刊行物には、以下の発明、あるいは事項が記載されていると認められる。 
　刊行物１：特開２０００−１３３６９７号公報
　刊行物２：特開平　　９−１８６２１７号公報
　刊行物３：特開平　１１−　４８０５７号公報
　
１　刊行物１
（１）刊行物１に記載された事項 
　刊行物１には、「ウエハ搬送装置に於けるウエハ認識装置」に関して、図面とともに、以下の事項が記載されている。なお、下線は理解の便のため、当審で付したものである。
　
ア　「【０００１】
【発明の属する技術分野】本発明は半導体ウエハ搬送ロボットによりカセット内に収納されたウエハを搬送する装置に於ける
ウエハ認識装置
　
イ　「【０００５】上記使用に於いて、最初にカセット２内のウエハ４がどの棚に入っているか認識する動作を行う。これは通常カセット２はウエハ４を１０枚から２５枚収納できる構成になっており、どの棚にウエハ４が収納されているかわからないためである。・・・（後略）」
　
ウ　「【０００８】
【発明の実施の形態】図１は本発明装置を備えたウエハ搬送装置全体の平面図、図２は同一部破断側面図、図３は上記に於ける密閉型ポッドを移動ステージ１０から取外してポートドア部分を見た一部破断斜視図である。上記各図に於いて
１
ステージ
ウエハ４
収納する
密閉型ポッド１１
前蓋１１ａ
【０００９】１２は密閉型ポッド１１と搬送ロボット６との間に介在させてなるポッドドアであって、窓枠１２ａ内を断面Ｌ字状の
板体１３が昇下降する
　
エ　「【００１０】而して、上記Ｌ字状板体１３の上部に於ける両端縁部１３ｃ，１３ｃには
ウエハ検出器１４
一対のセンサー１４ａ，１４ｂ
【００１１】
１６
昇下降機構
　
オ　「【００１３】上記でウエハ４の飛出しがなく、受光器１５がこれを検知しなかった場合には、ポートドア１２を図Ｄで示す位置まで下降させる。この位置はポッド１１内の最上段に収納されたウエハ４とポッド１１内の天井面との間にウエハ検出器１４のセンサー１４ａ，１４ｂが干渉せずにポッド１１内へ９０°の回動可能となる位置である。ここにセンサーは透過式センサーであって、即ちセンサーのポッド１１内へ向けて９０°回動し、
投光器１４ａ
受光器１４ｂ
光路
ウエハ４の存在を検出可能
【００１４】而して、図Ｅに示す如くポートドア１２を下降させるのであり、これにより投光器１４ａと受光器１４ｂの光路が
遮断され
【００１５】斯くして、ポートドア１２がウエハ最下段まで移動を終えると、ウエハ検出器１４の投光器１４ａ及び受光器１４ｂを９０°の逆回動させて当初位置に復帰させるのであり、上記した透過式センサー１７からの遮光信号とウエハ検出器１４の上下移動量の組合せにより、ウエハ認識情報を得ることができるものとなり、この結果を全体の統括装置へ伝達するものとなす。而して、図Ｆに示す如くポートドア１２をステージ１の最下部まで移動させ、次にポッド１１をウエハ４の移載が可能となる位置まで前進させる。」
　
カ　図１
　一対のセンサー１４ａ，１４ｂがそれぞれ一点鎖線に示される円弧に沿って９０°回転することが看取できる。
（２）刊行物１発明 
　上記摘記事項イに「通常カセット２はウエハ４を１０枚から２５枚収納できる構成になっており」とあり、また図４を参照すれば、ウエハ４は複数枚収納されているものと認められ、これらをまとめてウエハセット、ということができる。
　また、上記摘記事項エに「ウエハ検出器１４として一対のセンサー１４ａ，１４ｂが図示一点鎖線の如く９０°の水平移動可能に取付けてあり」とあり、また、摘記事項オに「ここにセンサーは透過式センサーであって、即ちセンサーのポッド１１内へ向けて９０°回動し、投光器１４ａと受光器１４ｂの光路がウエハ４の存在を検出可能となされる」とあることと、上記カの認定事項を技術常識を踏まえ合理的に解釈すれば、（ｉ）投光器１４ａを有する９０°回転する部材については、本願発明の用語に倣って「投光器コンポーネント取付部」ということができ、（ｉｉ）同様に、受光器１４ｂを有する９０°回転する部材については、「受光器コンポーネント取付部」ということができる。
　
　そこで、刊行物１の上記摘記事項アないしオ及び認定事項カを技術常識を踏まえ本願発明に照らして整理すると、刊行物１には以下の発明が記載されていると認められる。（以下、「刊行物１発明」という。） 
「ウエハ認識装置において、
　複数のウエハ４のウエハセットを収納する密閉型ポッド１１を収容するよう構成したステージ１であって、前記密閉型ポッド１１は前蓋１１ａを設けた前面側を有し、前記前蓋１１ａ開放時に前記ウエハ４を前記密閉型ポッド１１内に移送して収納し、または収納した前記ウエハ４を取り出すことができるよう構成した、該ステージ１と、
　前記密閉型ポッド１１の前記前面側に配置した互いに離間する投光器コンポーネント取付部および受光器コンポーネント取付部を有し、前記投光器コンポーネント取付部および受光器コンポーネント取付部を、展開位置と後退位置との間で移動させるものとしたウエハ検出器１４と、
　投光器１４ａであって、前記投光器コンポーネント取付部が前記展開位置に存在する際に前記投光器１４ａが作動するように、前記投光器コンポーネント取付部に配置される、投光器１４ａ、ならびに、受光器１４ｂであって、前記受光器コンポーネント取付部が前記展開位置に存在する際に前記受光器１４ｂが作動するように、前記受光器コンポーネント取付部に配置される、受光器１４ｂであって、前記投光器１４ａと前記受光器１４ｂとの間で、前記投光器コンポーネント取付部および受光器コンポーネント取付部を横切る、光路を形成するよう配置した、該投光器１４ａならびに受光器１４ｂと、
　前記密閉型ポッド１１に収納したウエハセットと前記投光器コンポーネント取付部および受光器コンポーネント取付部との間で制御した相対移動を付与し、この相対移動は、前記収納したウエハセットが、展開位置における前記投光器コンポーネント取付部と受光器コンポーネント取付部との間の空間における位置をとらせるものとする、前記密閉型ポッド１１の前面に配置した昇下降機構１６であって、前記展開位置にある前記投光器コンポーネント取付部および受光器コンポーネント取付部は、前記密閉型ポッド１１に収納した前記ウエハセットを跨ぎ、これにより、走査処理中前記光路が前記ウエハセットにおける各ウエハ４に交差し、したがって遮断し、前記後退位置にある前記投光器コンポーネント取付部および受光器コンポーネント取付部は、ウエハ４の走査を行わず前記密閉型ポッド１１の開放した前面側におけるウエハ４の収納又は取り出しのアクセスを可能にするクリアランスを生ずるものとした該昇下降機構１６とを備え、受光器１４ｂはウエハ４の存在を検出する出力信号を発生するウエハ認識装置。」
　
２　刊行物２
（１）刊行物２に記載された事項
　刊行物２には、「ウエハ搬入搬出装置」に関して、図面とともに、以下の事項が記載されている。なお、下線は理解の便のため、当審で付したものである。
　
ア　「【０００２】
【従来の技術】従来
多段のウエハ収納溝を有する
ウエハ搬入搬出装置
　
イ　「【０００３】図８および図９に示すように、先願例では、キャリア内で
ウエハが傾いて収納されている場合であっても
ウエハ間隔を正確に検出し
２対の発光素子４ａ，４ｂおよび受光素子５ａ，５ｂからなる光学的ウエハ検出手段
２対のウエハ検出手段の各発光素子からの光ビーム方向が基準面に対し異なる角度となるように該検出手段を配置
　
ウ　　図８
　ウエハが傾いて収納されていること、２本の光ビームが基準面に対して異なる角度で走査されていることが看取できる。
　
　
（２）刊行物２事項
　刊行物２の上記摘記事項ア及びイ並びにウに示す図８を参照しつつ、技術常識を踏まえて整理すると、刊行物２には以下の事項が記載されていると認められる。（以下、「刊行物２事項」という。） 
「多段のウエハ収納溝を有するウエハ搬入搬出装置において、ウエハが傾いて収納されている場合であってもウエハ間隔を正確に検出するために、２対の発光素子４ａ，４ｂおよび受光素子５ａ，５ｂからなる光学的ウエハ検出手段を設け、２対のウエハ検出手段の各発光素子からの光ビーム方向が基準面に対し異なる角度となるように検出手段を配置すること。」
　
３　刊行物３
（１）刊行物３に記載された事項
　刊行物３には、「薄板基板の検出装置」に関して、図面とともに、以下の事項が記載されている。なお、下線は理解の便のため、当審で付したものである。
　
ア　「【００１４】
【課題を解決するための手段】本発明は、複数の基板を装填するためのカセット内の基板の装填状態を正確に検出する装置であって、投光器および受光器からなる光センサを、基板がカセットに適切に装填されたときの表面に対して斜交する光路を形成し、かつ基板表面に対して対称の位置に２組設けて、カセットと光センサとを基板の装填方向に対して相対移動させたときの基準位置からの移動量に応じた相対位置信号と、カセットと２組の光センサとの相対移動期間中に基板によって光路が遮断されている間中出力される信号とから、各スロットにおける２組の光センサに対応する信号を比較して、
基板の有無および装填状態が適切であるかを同時に判定し
　
イ　「【００２８】また、
図１５に示したように、異物１９がスロット３に入り込んで基板１が傾いたり、図１７に示したように異物１９がカセット２の下に入り込んで全ての基板１が傾いた場合
適切に装填されていないと判定
　
ウ　「【００３２】光センサ４、５の投光器４ａ、５ａと受光器４ｂ、５ｂとは、基板１の正規の装填時の表面に対して斜交する光路６、７を形成するように設けられているが、これらの光センサ４、５の配置の例を図７ないし図１０に示す。図７ないし図１０において、（Ａ）は平面図であり、（Ｂ）は正面図である。これらのいずれの例においても、
投光器４ａ、５ａと受光器４ｂ、５ｂとは、それぞれの光路６、７が基板１の表面に対して斜交する位置に設けられている
　
第４　対比 
　本願発明と刊行物１発明とを対比すると以下のとおりである。 
　刊行物１発明の「ウエハ認識装置」は本願発明の「試料走査機構」に相当することは、その機能及び技術常識に照らして明らかであり、以下同様に、「複数の」は「１個またはそれ以上の」に、「ウエハ４」は「試料」に、「ウエハセット」は「試料セット」に、「収納」は「保管」に、「密閉型ポッド１１」は「キャリヤボックス」に、「ステージ１」は「支持体」に、「前蓋１１ａ」は「ドア」に、「投光器コンポーネント取付部」は「第１光学コンポーネント取付部」に、「受光器コンポーネント取付部」は「第２光学コンポーネント取付部」に、「ウエハ検出器１４」は「走査組立体」に、「光路」は「光伝搬路」に、「昇下降機構１６」は「コンポーネント取付部位置決め機構」にそれぞれ相当することも明らかである。 
　次に、刊行物１発明の「投光器１４ａ」は、本願発明の「第１光エミッタおよび第２光エミッタ」と、光エミッタ、である限りにおいて共通する。同様に、刊行物１発明の「受光器１４ｂ」は、本願発明の「第１光センサおよび第２光センサ」と、光センサ、である限りにおいて共通する。
　
　したがって、本願発明と刊行物１発明とは、以下の点で一致しているということができる。 
＜一致点＞ 
「試料走査機構において、
　１個またはそれ以上の試料の試料セットを保管するキャリヤボックスを収容するよう構成した支持体であって、前記キャリヤボックスはドアを設けた前面側を有し、前記ドア開放時に前記試料を前記キャリヤボックス内に移送して保管し、または保管した前記試料を取り出すことができるよう構成した、該支持体と、
　前記キャリヤボックスの前記前面側に配置した互いに離間する第１光学コンポーネント取付部および第２光学コンポーネント取付部を有し、前記第１光学コンポーネント取付部および第２光学コンポーネント取付部を、展開位置と後退位置との間で移動させるものとした走査組立体と、
　光エミッタであって、前記第１光学コンポーネント取付部が前記展開位置に存在する際に前記光エミッタが作動するように、前記第１光学コンポーネント取付部に配置される、光エミッタ、ならびに、光センサであって、前記第２光学コンポーネント取付部が前記展開位置に存在する際に前記光センサが作動するように、前記第２光学コンポーネント取付部に配置される、光センサであって、前記光エミッタと前記光センサとの間で、前記第１光学コンポーネント取付部および第２光学コンポーネント取付部を横切る、光伝搬路を形成するよう配置した、該光エミッタならびに光センサと、
　前記キャリヤボックスに保管した試料セットと前記第１光学コンポーネント取付部および第２光学コンポーネント取付部との間で制御した相対移動を付与し、この相対移動は、前記保管した試料セットが、展開位置における前記第１光学コンポーネント取付部と第２光学コンポーネント取付部との間の空間における位置をとらせるものとする、前記キャリヤボックスの前面に配置したコンポーネント取付部位置決め機構であって、前記展開位置にある前記第１光学コンポーネント取付部および第２光学コンポーネント取付部は、前記キャリヤボックスに保管した前記試料セットを跨ぎ、これにより、走査処理中前記光伝搬路が前記試料セットにおける各試料に交差し、したがって遮断し、前記後退位置にある前記第１光学コンポーネント取付部および第２光学コンポーネント取付部は、試料の走査を行わず前記キャリヤボックスの開放した前面側における試料の保管又は取り出しのアクセスを可能にするクリアランスを生ずるものとした該コンポーネント取付部位置決め機構とを備える試料走査機構。」　 
　
　そして、本願発明と刊行物１発明とは、以下の３点で相違している。 
＜相違点１＞ 
　本願発明においては、互いに離間する第１光学コンポーネント取付部および第２光学コンポーネント取付部が展開機構に動作可能に連結し、その展開機構によりそれらコンポーネントの移動動作を行うのに対し、刊行物１発明の投光器コンポーネント取付部および受光器コンポーネント取付部は、そのような展開機構を有するか不明である点。 
＜相違点２＞
　本願発明の光エミッタは、第１光エミッタおよび第２光エミッタであり、光センサは、第１光センサおよび第２光センサであって、それぞれに対応する光伝搬路に沿って伝搬する各光ビームを形成し、前記第１光エミッタおよび前記第１光センサによる第１光伝搬経路は、前記第２光エミッタおよび第２光センサによる第２光伝搬経路に対して角度をなすよう配置しているのに対し、刊行物１発明の投光器１４ａ（光エミッタ）及び受光器１４ｂ（光センサ）は、いずれも単一のものであり、したがって両者間の光路も単一のものである点。
＜相違点３＞
　本願発明においては、第１および第２の出力信号による試料の傾斜または試料の欠如の表示が、試料に対する第１及び第２の光センサの、試料の厚さと同等の変位に対して決定されるように、第１および第２の光センサはそれぞれ、試料がキャリヤボックスの単独の溝孔内で検知された際に、コンポーネント取付部位置決め機構のキャリヤボックスに保管された試料セットに対する移動量に応じた等しい絶対値の、前記第１および第２の出力信号を発生するのに対し、刊行物１発明においては、（単一の）受光器１４ｂがウエハ４の存在（のみ）を検出する出力信号を発生するものである点。
　
第５　相違点の検討 
１　＜相違点１＞について 
　刊行物１発明の投光器コンポーネント取付部および受光器コンポーネント取付部の駆動源は明らかではないが、展開動作を行う以上、何らかの従来周知の展開機構を有しているものと考えられる。そして、そのような展開機構を、それぞれのコンポーネント取付部に設けるか、（本願発明のように）一つの展開機構に両コンポーネントを動作可能に連結するかは、当業者が適宜選択し得る設計的事項である。よって相違点１は格別なものではない。
　
２　＜相違点２＞について
　上記第３の２（２）にて指摘したように、刊行物２事項は、「多段のウエハ収納溝を有するウエハ搬入搬出装置において、ウエハが傾いて収納されている場合であってもウエハ間隔を正確に検出するために、２対の発光素子４ａ，４ｂおよび受光素子５ａ，５ｂからなる光学的ウエハ検出手段を設け、２対のウエハ検出手段の各発光素子からの光ビーム方向が基準面に対し異なる角度となるように検出手段を配置すること。」というものであるところ、これを本願発明の用語に倣って表現すれば、刊行物２事項の「ウエハ」は「試料」と表現でき、以下同様に、「２対の発光素子４ａ，４ｂ」は「第１光エミッタおよび第２光エミッタ」と、「受光素子５ａ，５ｂ」は「第１光センサおよび第２光センサ」と、各「発光素子」は各「エミッタ」と表現できる。したがって、刊行物２事項は、 「多段の試料収納溝を有する試料搬入搬出装置において、試料が傾いて収納されている場合であっても試料間隔を正確に検出するために、第１光エミッタおよび第２光エミッタおよび第１光センサおよび第２光センサからなる光学的試料検出手段を設け、２対の試料検出手段の各エミッタからの光ビーム方向が基準面に対し異なる角度となるように検出手段を配置すること。」と言い換えることができる。 
　
　ここで、刊行物１発明と刊行物２事項は、ともにウエハ（試料）を移送・収納するための装置におけるウエハ（試料）の検出手段である点で技術分野が共通している。また、刊行物２事項は、刊行物２において従来より存在する技術として記載されている事項であり（上記第３の２（１）ア）、さらに、上記第３の３にて示したように、刊行物３にも同様な技術及び課題が記載されていることからすれば、刊行物２事項は従来周知の技術事項、ということもできるから、刊行物２事項のような「ウエハが傾いて収納されている場合」に対処することは、刊行物１発明にも内在する課題と言い得る。そうしてみると、刊行物２に接した当業者が、これを刊行物１発明に適用することを試みることは、格別困難ではないというべきである。
　そして、刊行物１発明に刊行物２事項を適用して、投光器（エミッタ）を、第１光エミッタおよび第２光エミッタとし、受光器（光センサ）を、第１光センサおよび第２光センサとして、各エミッタからの光ビーム方向を異なる角度となるように配置することとして、相違点２に係る本願発明の特定事項とすることは、当業者が容易に想到し得たもの、ということになる。
　
３　＜相違点３＞について
　上記「２　＜相違点２＞について」にて指摘したように、刊行物１発明に刊行物２事項を適用して、第１および第２の光エミッタ・光センサを用いることによって、試料の存在または欠如のみならず、試料の傾斜にも対処できるように構成することは想到容易である。
　ここで、刊行物１発明に、刊行物２事項の検出手段を適用するに際しては、該第１および第２の光エミッタ・光センサは「密閉型ポッド１１」の溝等と干渉しないように、刊行物１発明における投光器１４ａ・受光器１４ｂの配置位置と同様、「密閉型ポッド１１の」「前面側に配置」するのがごく自然であり、そうした場合、両エミッタ及び両センサ間の距離は、試料（ウエハ４）の直径に比べかなり短くなる。そして、これを上記摘記事項第３の２（１）ウで示した刊行物２の図８に照らし合わせて考えると、試料の厚さと同等あるいはそれ以下の両エミッタ及び両センサ間の（鉛直方向）変位によって、両エミッタから試料の傾き及び有無を検出するのに十分な出力信号が得られることが容易に理解でき、それを言い換えれば、試料の傾斜または試料の欠如の有無が、試料の厚さと同等あるいはそれ以下の変位に対して決定されるように、両光センサは第１および第２の出力信号を発生するということができる。また、（本願発明でいうところの）試料が単独の溝孔内で検知された場合、すなわち試料が傾いていない場合、該第１および第２の出力信号の絶対値が等しいことはごく当然である。
　そうしてみると、相違点３に係る本願発明の特定事項も、相違点２と同様に想到容易ということになる。
　
４　本願発明の効果について
　上記相違点１ないし相違点３を総合的に勘案しても、刊行物１発明、刊行物２事項及び従来周知の技術事項から当業者が予測できない格別な効果が生じるとは考えられない。
　
５　小括 
　したがって、本願発明は、刊行物１発明、刊行物２事項及び従来周知の技術事項に基づいて当業者が容易に発明をすることができたものである。 
　
第６　むすび 
　以上のとおり、本願発明は、刊行物１発明、刊行物２事項及び従来周知の技術事項に基づいて、当業者が容易に発明をすることができたものであって、特許法第２９条第２項の規定により特許を受けることができないものであるから、その余の請求項２ないし１３に係る発明について検討するまでもなく、本願は拒絶されるべきものである。 
　よって、結論のとおり審決する。